(57)【要約】【課題】掲示物や展示物に応じて縁枠の化粧を変更したり、掲示物に人の目が向くようにアピールしたり、筆記事項に人の注意を喚起したりすることが可能な表示用具を提供するものである。【解決手段】掲示板１は、前面に掲示のための表示面２０を有する基板２と、基板２の端縁に沿って前記表示面２０を取り囲むように横枠材４１，４２および縦枠材４３，４４を装着して形成される縁枠４とを備えたものである。各横枠材４１，４２の前面および各縦枠材４３，４４の前面には、溝開口の幅が全長にわたって一定の化粧材貼付用の凹溝５が各枠材の長さ方向に沿って形成されている。【選択図】図１
2014077831.tif 000002
【特許請求の範囲】
【請求項１】
前面に掲示、展示、または筆記のための表示面を有する基板と、基板の端縁に沿って前記表示面を取り囲むように複数の枠材を装着して形成される縁枠とを備え、各枠材の前面には、溝開口の幅が全長にわたって一定の化粧材貼付用の凹溝が各枠材の長さ方向に沿って形成されて成る表示用具。
【請求項２】
前記凹溝は、テープ状の化粧材が溝底に貼付可能になっており、前記溝底が平坦面であって、対向する両方の側壁面の高さが互いに一致し、両方の側壁面の高さと前記化粧材の厚みとが一致するものである請求項１に記載された表示用具。
【請求項３】
前記凹溝は、テープ状の化粧材が溝底に貼付可能になっており、前記溝底が平坦面であって、対向する両方の側壁面の高さが互いに異なり、高さの低い方の側壁面の高さと前記化粧材の厚みとが一致するものである請求項１に記載された表示用具。
【請求項４】
前記凹溝は、溝底が幅方向に沿って円弧状である請求項１に記載された表示用具。
【請求項５】
前面に掲示、展示、または筆記のための表示面を有する基板と、基板の端縁に沿って前記表示面を取り囲むように複数の枠材を装着して形成される縁枠とを備え、各枠材の前面には、溝開口の幅が全長にわたって一定の化粧材貼付用の凹溝が各枠材の長さ方向に沿って形成されており、少なくともひとつの枠材の凹溝内には、表面が化粧面、裏面が粘着面であって、凹溝の溝開口の幅と一致する幅を有するテープ状の化粧材が貼着されて成る表示用具。
【請求項６】
前記テープ状の化粧材は、裏面の粘着面が再剥離性を有する粘着面である請求項５に記載された表示用具。
【発明の詳細な説明】
【技術分野】
【０００１】
この発明は、掲示板、額縁、ホワイトボード、黒板などのように、ポスターを掲示したり、絵画や写真などを展示したり、文字などを筆記したりするのに用いられる表示用具に関する。
【背景技術】
【０００２】
従来の典型的な掲示板や額縁は、前面に掲示や展示のための表示面を有する基板と、基板の端縁に沿って前記表示面を取り囲むように複数の枠材を装着して形成される縁枠とで構成されており、例えば、各枠材を開閉可能な構造にして掲示物や展示物をワンタッチで着脱可能としたものなどが提案されている（例えば特許文献１参照）。
【先行技術文献】
【特許文献】
【０００３】
【特許文献１】特開平２０００−５００６号公報
【発明の概要】
【発明が解決しようとする課題】
【０００４】
特許文献１に記載された額縁は、縁枠を構成する枠材がアルミニウム製であり、金属光沢のために冷たい印象を与え、個性に欠けるという問題がある。装飾効果を高めるために、各枠材の表面に種々の凹凸模様が施された額縁も多数存在するが、個性がある反面、模様が固定されているため、展示物によっては調和しないことがある。このため、展示物が変わる都度、展示物に調和した額縁を購入するなどの必要があり、甚だ不経済である。
【０００５】
また、掲示板は、駅などの各種施設において、ポスターを貼るのに用いられているが、縁枠を構成する各枠材はアルミニウムなどの金属製のものが一般的であり、個性がなくて目立たず、掲示物に視線が向くようにアピールする機能がない。ホワイトボードについても同様であり、縁枠を構成する各枠材に個性がなくて目立たないものが殆どであるので、筆記事項に人の注意が喚起されるようにアピールする機能がない。
【０００６】
この発明は、上記の問題に着目してなされたもので、縁枠を構成する枠材の前面に化粧材貼付用の凹溝を形成することにより、掲示物や展示物に応じて縁枠の化粧を変更したり、掲示物に人の目が向くようにアピールしたり、筆記事項に人の注意を喚起したりすることが可能な表示用具を提供することを目的とする。
【課題を解決するための手段】
【０００７】
この発明による表示用具は、前面に掲示、展示、または筆記のための表示面を有する基板と、基板の端縁に沿って前記表示面を取り囲むように複数の枠材を装着して形成される縁枠とを備えたものであり、各枠材の前面には、溝開口の幅が全長にわたって一定の化粧材貼付用の凹溝が各枠材の長さ方向に沿って形成されている。
【０００８】
上記した構成の表示用具においては、縁枠を構成する各枠材の前面に凹溝が各枠材の長さ方向に沿って形成されているので、いずれかの枠材または全ての枠材の前面の凹溝内に化粧材を貼付することによって、掲示板や額縁であれば縁枠の化粧を変更したり、掲示板であれば掲示物に視線が向くようにアピールしたり、ホワイトボードや黒板であれば筆記事項に人の注意を喚起したりすることができる。また、化粧材として凹溝の溝開口の幅と一致する幅のテープ状の化粧材を用いれば、化粧材を凹溝に沿って容易かつ美麗に貼付することが可能である。しかも、化粧材と凹溝の両方の側壁面との間に隙間が生じないから、隙間にゴミが入り込んで汚れるおそれもない。
【０００９】
この発明の上記した構成において、基板は典型的には縦長または横長の矩形状であるが、正方形状であってもよく、その他の形態であってもよい。各枠材はそれぞれの端面をコーナー枠材を介して連結して縁枠を構成してもよく、それぞれの端部を直接連結して縁枠を構成してもよい。凹溝は枠材の長さ方向に沿って１条、または複数条形成する。また、凹溝は直線状のものの他、蛇行したもの、ジグザグ状のものなどであってもよい。
【００１０】
この発明の好ましい実施態様においては、前記凹溝は、テープ状の化粧材が溝底に貼付可能になっており、前記溝底が平坦面であって、対向する両方の側壁面の高さが互いに一致し、両方の側壁面の高さと前記化粧材の厚みとが一致するものである。
【００１１】
この実施態様のものでは、テープ状の化粧材を凹溝内に貼付したとき、化粧材の両側縁は凹溝の開口縁と揃うので、化粧材の両側縁が汚れたり、めくれ上がったりするおそれがない。
【００１２】
この発明の他の実施態様においては、前記凹溝は、テープ状の化粧材が溝底に貼付可能になっており、前記溝底が平坦面であって、対向する両方の側壁面の高さが互いに異なり、高さの低い方の側壁面の高さと前記化粧材の厚みとが一致するものである。
【００１３】
この実施態様のものでは、テープ状の化粧材を凹溝内に貼付したとき、化粧材の一方の側縁は凹溝の開口縁と揃い、他方の側縁は凹溝の側壁面に当接するので、化粧材の両側縁が汚れたり、めくれ上がったりするおそれがない。
【００１４】
この発明の他の実施態様では、前記凹溝は、溝底が幅方向に沿って円弧状である。
【００１５】
この実施態様のものでは、化粧材として長さ方向と直交する方向の断面形状が円形または半円形のものを用いることができ、凹溝が蛇行するものであっても、化粧材を凹溝内に嵌め込んで貼付することが可能である。
【００１６】
上記した構成の表示用具は、凹溝内に化粧材が貼付されていない態様のものであり、ユーザーにおいて、好みの化粧材を選択して凹溝内に貼付するが、この発明の表示用具は、そのような形態のものに限定されるものではなく、凹溝内に化粧材を貼付した態様のものであってもよい。
後者の態様の表示用具は、前面に掲示、展示、または筆記のための表示面を有する基板と、基板の端縁に沿って前記表示面を取り囲むように複数の枠材を装着して形成される縁枠とを備え、各枠材の前面には、溝開口の幅が全長にわたって一定の化粧材貼付用の凹溝が各枠材の長さ方向に沿って形成されており、少なくともひとつの枠材の凹溝内には、表面が化粧面、裏面が粘着面であって、凹溝の溝開口の幅と一致する幅を有するテープ状の化粧材が貼着されて成るものである。
【００１７】
この発明の好ましい実施態様においては、前記化粧材は、裏面の粘着面が再剥離性を有する粘着面である。
【００１８】
この実施態様においては、凹溝に貼付されているテープ状の化粧材を剥がすとき、化粧材の基材が破損することがなく、その基材や粘着剤が凹溝内に残って汚れるおそれがないので、新たな化粧材を凹溝内に容易かつ美麗に貼付することができる。
【発明の効果】
【００１９】
この発明によれば、縁枠を構成する複数の枠材の前面に凹溝を形成して、凹溝内に化粧材を貼付可能としたので、掲示板や額縁であれば掲示物や展示物に応じて縁枠の化粧を変更したり、掲示板であれば掲示物に人の目が向くようにアピールしたり、ホワイトボードや黒板であれば筆記事項に人の注意を喚起したりすることができる。また、化粧材は凹溝内に貼付されるようになっているので、容易かつ美麗に貼付することが可能である。
【図面の簡単な説明】
【００２０】
【図１】この発明の一実施例である掲示板の正面図である。
【図２】枠材とコーナー枠材の構成を拡大して示す斜視図である。
【図３】枠材の凹溝内に化粧材が貼付された状態を示す断面図である。
【図４】枠材の凹溝内に化粧材が貼付された状態を示す他の実施例の断面図である。
【図５】枠材の凹溝内に化粧材が貼付された状態を示す他の実施例の断面図である。
【図６】枠材の凹溝内に化粧材が貼付された状態を示す他の実施例の断面図である。
【図７】枠材の凹溝内に化粧材が貼付された状態を示す他の実施例の断面図である。
【図８】枠材の凹溝内に化粧材が貼付された状態を示す他の実施例の断面図である。
【図９】枠材の凹溝内に化粧材が貼付された状態を示す他の実施例の断面図である。
【図１０】２条の凹溝を有する枠材を拡大して示す平面図である。
【図１１】図１０のＡ−Ａ線に沿う断面図である。
【図１２】凹溝の他の実施例を示す平面図である。
【図１３】図１２のＢ−Ｂ線に沿う断面図である。
【図１４】図１２のＢ−Ｂ線に沿う他の実施例の断面図である。
【図１５】この発明の他の実施例である額縁兼掲示板の正面図である。
【図１６】この発明の他の実施例であるホワイトボードの正面図である。
【図１７】この発明の他の実施例である掲示板の正面図である。
【図１８】横枠材にのみ化粧材を貼付する例を示す図である。
【図１９】一方の横枠材と一方の縦枠材とに化粧材を貼付する例を示す図である。
【図２０】一方の横枠材にのみ化粧材を貼付する例を示す図である。
【図２１】全ての枠材に化粧材を貼付する例を示す図である。
【発明を実施するための形態】
【００２１】
図１は、この発明の一実施例である掲示板１を示しているが、この発明は、掲示板のような掲示のための表示用具に限らず、額縁のような展示のための表示用具、ホワイトボードや黒板のような筆記のための表示用具にも適用できる。なお、額縁には壁面に取り付けられるものに限らず、写真立てのように水平面上に置かれるものも含む。
図示例の掲示板１は、図示しない金具によって壁面に取付け固定されるもので、前面に掲示物の貼付に供される表示面２０を有する横長矩形状の基板２と、基板２の端縁に沿って前記表示面２０を取り囲むように上下の横枠材４１，４２と左右の縦枠材４３，４４と横枠材４１，４２と縦枠材４３．４４との繋ぎ目に介在させる４個のコーナー枠材４５とを装着して形成される縁枠４とで構成される。
【００２２】
基板２は、例えばベニヤ合板やパーティクルボードなどにより形成された基材の表面に、画鋲を突き刺すことが可能な厚みを有する表装シートが貼設されて成るものである。この表装シート上の表示面２０には、印刷物などの掲示のためのシートを画鋲により止めることが可能であるが、永久磁石製の固定具によって掲示物が固定できるよう表装シートの内部に磁性層を積層することも可能である。
【００２３】
縁枠４を構成する横枠材４１，４２、縦枠材４３，４４、およびコーナー枠材４５は、アルミニウムなどの金属材により製作されている。各横枠材４１，４２および各縦枠材４３，４４の前面には、図２に示すように、化粧材貼付用の凹溝５が各枠材の長さ方向に沿って、各枠材の全長にわたり一直線状にそれぞれ形成されている。各凹溝５の溝開口の幅ｓは、横枠材４１，４２および縦枠材４３，４４の幅より小さな幅であり、横枠材４１，４２および縦枠材４３，４４の前面の幅中央に位置している。各凹溝５は、長さ方向と直交する方向の断面形状が全長にわたって同一であって溝開口の幅ｓは全長にわたって一定である。
【００２４】
各コーナー枠材４５の前面にも、横枠材４１，４２および縦枠材４３，４４の各凹溝５と連続しかつ互いに直角をなして連通する凹溝６ａ，６ｂが形成されている。各凹溝６ａ，６ｂの長さ方向と直交する方向の断面形状や溝開口の幅は横枠材４１，４２および縦枠材４３，４４の各凹溝５と同じである。
【００２５】
前記凹溝５は、テープ状の化粧材が貼付可能になっており、図２および図３に示すように、化粧材７が貼付される溝底５０は平坦面に形成され、対向する両方の側壁面５１，５２は高さｈ１，ｈ２が互いに一致している。両方の側壁面５１，５２の高さｈ１，ｈ２は、凹溝５内に貼付されるテープ状の化粧材７の厚みｄと一致する。各コーナー枠材４５の凹溝６ａ，６ｂも、テープ状の化粧材７が貼付可能になっており、化粧材７が貼付される溝底６０は平坦面に形成され、対向する両方の側壁面６１，６２は高さが互いに一致している。両方の側壁面５１，５２の高さは、凹溝６ａ，６ｂ内に貼付されるテープ状の化粧材７の厚みｄと一致する。
【００２６】
前記化粧材７は、表面が化粧面７１、裏面が粘着面７２であり、各凹溝５，６ａ，６ｂの溝開口の幅ｓと一致する幅ｗを有している。化粧材７の基材として、ＰＥＴなどの合成樹脂、紙、不織布などが用いられ、裏面の粘着面７２は例えばアクリル系粘着剤などが用いられた再剥離性を有する粘着面となっている。ここで、「再剥離性」とは、基材や枠材を破損せず、粘着剤を被貼付面に残さずに剥がすことができる性質のことである。表面の化粧面７１には、種々の装飾が施されるもので、例えば、種々の色彩、模様、マークなどが表される他、化粧面７１に蛍光顔料や蓄光顔料を含有させることも可能である。
【００２７】
図４は、凹溝５の他の実施例を示している。図示例の凹溝５は、対向する両方の側壁面５１，５２の高さｈ１、ｈ２（ただし、ｈ２＜ｈ１）が互いに異なっており、高さの低い方の側壁面５２の高さｈ２と凹溝５の溝底５０上に貼付されるテープ状の化粧材７の厚みｄとが一致するものである。
なお、化粧材７は、化粧面７１の形状がフラットな形状のものに限らず、図５に示すように、湾曲した形状のものであってもよく、図６に示すように、幅中央に凹溝７３や凸条７４のような立体模様を有する形状のものであってもよい。
【００２８】
また、凹溝５は、図３〜図６に示すような、側壁面５１，５２が互いに対向する形態のものに限らず、図７に示すように、溝底５０の側に広がった形態のものであってもよい。この実施態様のものでは、化粧材７は化粧面７１の側を圧縮変形させるようにして凹溝５内に嵌め込み、粘着面７２を溝底５０に貼付する。
【００２９】
図３および図５〜図７の各実施例では、化粧材７の厚みｄと凹溝５の両方の側壁面５１，５２の高さｈ１，ｈ２とが一致し、また、図４の実施例では、化粧材７の厚みｄと凹溝５の低い方の側壁面５２の高さｈ２とが一致しているが、凹凸感を付与するために、図８に示すように、化粧材の厚みｄを凹溝５の両方の側壁面５１，５２の高さｈ１，ｈ２より大きくしたり、図９に示すように、化粧材の厚みｄを凹溝５の両方の側壁面５１，５２の高さｈ１，ｈ２より小さくしたりすることも可能である。
因みに、図３および図５〜図７の各実施例では、化粧材７を凹溝５内に貼付したとき、化粧材７の両側縁は凹溝５の開口縁と揃い、図４の実施例では、化粧材７の一方の側縁は凹溝５の開口縁と揃い、他方の側縁は凹溝５の側壁面５１に当接するので、化粧材７の両側縁が汚れたり、めくれ上がったりするおそれがない。
【００３０】
上記の各実施例では、凹溝５は横枠材４１，４２の前面および縦枠材４３，４４の前面にそれぞれ１条だけ設けられているが、図１０に示すように、全ての枠材に２条設けたり、横枠材４１，４２と縦枠材４３，４４の一方に２条、他方の１条設けるなど、種々の設計変更が可能である。図示例の２条の凹溝５は、同じ形状であって同じ溝幅、同じ溝深さに形成されているので、図１１に示すように、各凹溝５に同じ化粧材７を貼付することになるが、２条の凹溝５の溝幅を変えれば、幅の異なる化粧材７を貼付することになる。
【００３１】
また、上記の各実施例では、凹溝５は直線状であるが、図１２に示すように、蛇行させてもよく、また、ジグザグ状に形成してもよい。凹溝５を蛇行させる場合、図１３および図１４に示すように、凹溝５の溝底５０を円弧状とし、化粧材７は長さ方向と直交する方向の断面形状が円形または半円形のものを用いることで、蛇行する凹溝５に対して化粧材７を嵌め込んで貼付することを可能とする。
【００３２】
図１５は、この発明の他の実施例を示している。図示例のものは、額縁としても使用可能な掲示板１であって、基板２の前面の表示面２０が縦に長い矩形状であり、この基板２の端縁沿いに表示面２０を全周にわたって取り囲むようにアルミニウムなどより成る縁枠４が設けられている。縁枠４は、横枠材４１，４２、縦枠材４３，４４、およびコーナー枠材４５により構成されており、掲示物や展示物をワンタッチで着脱できるように各横枠材４１，４２および各縦枠材４３，４４が開閉可能な構造になっている。図示例の掲示板１は、表示面２０に対応する形状および大きさのポスターや絵画などを基板２と各枠材との間で外周縁を挟持することにより画鋲なしで貼付することが可能である。
【００３３】
各横枠材４１，４２の前面および各縦枠材４３，４４の前面には、化粧材貼付用の凹溝５が各枠材の長さ方向に沿って、各枠材の全長にわたり一直線状にそれぞれ形成されている。なお、各凹溝５の構成は、図１に示した実施例と同じであり、ここでは説明を省略する。この実施例の各コーナー枠材４５には凹溝は形成されていないので、横枠材４１，４２および縦枠材４３，４４の各凹溝５はコーナー枠材４５の位置で途絶え、互いに連続していない。
【００３４】
図１６は、この発明の他の実施例であるホワイトボード１０を示している。図示例のホワイトボード１０は、前面に筆記具による筆記に供される表示面２０を備える基板２と、基板２の端縁沿いに表示面２０を全周にわたって取り囲むように設けられる縁枠４および粉受け板８とで構成される。このホワイトボード１０は、図示しない金具によって壁面に取付け固定される。表示面２０は横に長い矩形状であり、水性または油性インキのフェルトペンなどで筆記することが可能でありかつ拭き取りにより筆記文字などを消去することが可能である。基板２は、例えば、鉄板の表面を焼付け塗装したものが用いられ、永久磁石製の固定具により表示面２０上に印刷物などが固定できるようになっている。
【００３５】
縁枠４は、基板２の上辺に沿う横枠材４１と、左右の各辺に沿う縦枠材４３，４４と、横枠材４１と縦枠材４３．４４との繋ぎ目に介在させるコーナー枠材４５とで構成され、縁枠４および粉受け板８はアルミニウムなどの金属材により製作されている。
【００３６】
横枠材４１および各縦枠材４３，４４の前面には、化粧材貼付用の凹溝５が各枠材の長さ方向に沿って、各枠材の全長にわたり一直線状にそれぞれ形成されている。なお、各凹溝５の構成は、図１に示した実施例と同じであり、ここでは説明を省略する。この実施例では、各コーナー枠材４５の前面にも横枠材４１および縦枠材４３，４４の各凹溝５と連続しかつ互いに直角をなして連通する凹溝６ａ，６ｂが形成されている。
【００３７】
なお、上記の掲示板１およびホワイトボード１０は、金具により壁面に取付け固定されるものであるが、図１７に示すように、４個のキャスター１２を有するスタンド１１により支持されるものであってもよい。
【００３８】
上記した掲示板１およびホワイトボード１０は、凹溝５内に化粧材７が貼付されていない態様のものであり、ユーザーにおいて、好みの化粧材７を選択して凹溝５内に貼付するようになっているが、これに限らず、凹溝５内に化粧材７を貼付した態様のものであってもよく、その場合は、ユーザーにおいて、好みの化粧材７に自由に貼りかえることが可能である。
【００３９】
上記の各実施例において、縁枠４を構成する横枠材４１，４２の前面および縦枠材４３，４４の前面には化粧材貼付用の凹溝５が各枠材の全長にわたって形成されているが、必ずしも横枠材４１，４２および縦枠材４３，４４の全てに化粧材７を貼付する必要はなく、例えば、図１８に示すように、横枠材４１，４２にのみ化粧材７を貼付したり、図１９に示すように、一方の横枠材４１と一方の縦枠材４３に化粧材７を貼付したり、図２０に示すように、一方の横枠材４２にのみ化粧材７を貼付したりしてもよい。また、必ずしも凹溝５の全長にわたって化粧材７を貼付する必要はなく、部分的に貼付するようにしてもよい。
なお、上記の各実施例は、表示面２０が矩形状であるが、これに限らず、図２１に示すように、８角形など、種々の形態のものであってもよい。図２１に示す実施例では、縁枠４を構成する全ての枠材に化粧材７が貼付されている。
【００４０】
上記した構成の掲示板１またはホワイトボード１０において、縁枠４を構成する横枠材４１，４２の前面および縦枠材４３，４４の前面に凹溝５が各枠材の長さ方向に沿って形成されているので、いずれかの枠材または全ての枠材の前面の凹溝５内に化粧材７を貼付することによって、掲示板や額縁であれば縁枠４の化粧を変更したり、掲示板であれば掲示物に視線が向くようにアピールしたり、ホワイトボードや黒板であれば筆記事項に人の注意を喚起したりすることができる。また、化粧材７として凹溝５の溝開口の幅ｓと一致する幅のテープ状の化粧材７を用いれば、化粧材７を凹溝５に沿って容易かつ美麗に貼付することが可能であり、しかも、化粧材７と凹溝５の両方の側壁面５１，５２との間に隙間が生じないから、隙間にゴミが入り込んで汚れるおそれがない。
【００４１】
また、図３、図５〜図７に示す実施例のように、凹溝５の対向する両方の側壁面５１，５２の高さが互いに一致し、両方の側壁面５１，５２の高さｈ１、ｈ２と凹溝５内に貼付される化粧材７の厚みｄとが一致していれば、化粧材７を凹溝５内に貼付したとき、化粧材７の両側縁は凹溝５の開口縁と揃い、化粧材７の両側縁が汚れたり、めくれ上がったりするおそれがない。
【００４２】
図４に示す実施例のように、凹溝５の対向する両方の側壁面５１，５２の高さが互いに異なり、高さの低い方の側壁面５２の高さｈ２と凹溝５内に貼付される化粧材７の厚みｄとが一致していれば、化粧材７を凹溝５内に貼付したとき、化粧材７の一方の側縁は凹溝５の開口縁と揃い、他方の側縁は凹溝５の側壁面５１に当接するので、化粧材７の両側縁が汚れたり、めくれ上がったりするおそれがない。
【符号の説明】
【００４３】
１    掲示板
２    基板
４    縁枠
７    化粧材
１０  ホワイトボード
２０  表示面
４１，４２  横枠材
４３，４４  縦枠材
５０  溝底
５１，５２  側壁面
７１  化粧面
７２  粘着面
【図１】
2014077831.tif 000003
【図２】
2014077831.tif 000004
【図３】
2014077831.tif 000005
【図４】
2014077831.tif 000006
【図５】
2014077831.tif 000007
【図６】
2014077831.tif 000008
【図７】
2014077831.tif 000009
【図８】
2014077831.tif 000010
【図９】
2014077831.tif 000011
【図１０】
2014077831.tif 000012
【図１１】
2014077831.tif 000013
【図１２】
2014077831.tif 000014
【図１３】
2014077831.tif 000015
【図１４】
2014077831.tif 000016
【図１５】
2014077831.tif 000017
【図１６】
2014077831.tif 000018
【図１７】
2014077831.tif 000019
【図１８】
2014077831.tif 000020
【図１９】
2014077831.tif 000021
【図２０】
2014077831.tif 000022
【図２１】
2014077831.tif 000023